(57)【特許請求の範囲】
【請求項１】
伝送データの同期伝送に用いられるフレーム信号を生成するフレーム信号生成手段と、
前記生成されたフレーム信号を光学的に伝送する第１の光学伝送手段と、
それぞれ、前記伝送されたフレーム信号を受信し、前記受信されたフレーム信号からクロック信号を生成する複数のクロック生成手段と、
それぞれ、前記複数のクロック生成手段のいずれかに１対１に対応付けられ、前記受信されたフレーム信号を用いて、前記対応付けられたクロック生成手段により生成されたクロック信号に同期した前記伝送データを示す光学的な伝送信号を生成する複数の伝送信号生成手段と、
前記生成された伝送信号を光学的に伝送する第２の光学伝送手段と
を有する信号伝送システム。
【請求項２】
それぞれ、前記複数のクロック生成手段のいずれかに１対１に対応付けられ、前記伝送された伝送信号を受信し、前記受信されたフレーム信号と前記対応付けられたクロック生成手段により生成されたクロック信号とを用いて、前記受信された伝送信号から前記伝送データを復元する複数の伝送データ復元手段
を有する請求項１に記載の信号伝送システム。
【請求項３】
伝送データの同期伝送に用いられる光学的なフレーム信号を生成するフレーム信号生成手段と、
前記生成されたフレーム信号を光学的に伝送する第１の光学伝送手段と、
前記伝送データを示す光学的な伝送信号の送信および受信またはこれらのいずれかをそれぞれ行う複数の伝送信号送信・受信手段と、
前記伝送信号を光学的に伝送する第２の光学伝送手段と
を有し、
前記複数の伝送信号送信・受信手段それぞれは、
前記伝送されたフレーム信号を受信し、前記受信されたフレーム信号からクロック信号を生成するクロック生成手段と、
前記受信されたフレーム信号を用いて、前記生成されたクロック信号に同期した前記伝送データを示す光学的な伝送信号を生成する伝送信号生成手段、および、前記伝送された伝送信号を受信し、前記受信されたフレーム信号と前記生成されたクロック信号とを用いて、前記受信された伝送信号から前記伝送データを復元する伝送データ復元手段またはこれらのいずれかと
を有する
信号伝送システム。
【請求項４】
前記伝送された伝送信号は、一時に前記複数の伝送信号送信・受信手段のいずれかのみが送信する１つ以上の第１の伝送信号、および、一時に前記伝送信号送信・受信手段の内の２つ以上が送信しうる１つ以上の第２の伝送信号またはこれらのいずれかを含み、
前記第２の光学伝送手段は、
前記第１の伝送信号のみを伝送する光学伝送路
を含む
請求項３に記載の信号伝送システム。
【請求項５】
伝送データの同期伝送に用いられる光学的なフレーム信号を第１の光学伝送路を介して伝送し、前記伝送データを示す伝送信号を第２の光学伝送路を介して伝送する信号伝送システムにおいて、前記伝送データを示す光学的な伝送信号の送信および受信またはこれらのいずれかを行う伝送信号送信・受信装置であって、
前記伝送されたフレーム信号を受信し、前記受信されたフレーム信号からクロック信号を生成するクロック生成手段と、
前記受信されたフレーム信号を用いて、前記生成されたクロック信号に同期した前記伝送データを示す光学的な伝送信号を生成する伝送信号生成手段、および、前記伝送された伝送信号を受信し、前記受信されたフレーム信号と前記生成されたクロック信号とを用いて、前記受信された伝送信号から前記伝送データを復元する伝送データ復元手段またはこれらのいずれかと
を有する伝送信号送信・受信装置。
【発明の詳細な説明】
【０００１】
【発明の属する技術分野】
本発明は、複数のノードにフレーム信号を送り、複数のノードそれぞれが、フレーム信号からクロック信号を再生して信号の送信および受信に用いる信号伝送システムおよびその装置に関する。
【０００２】
【従来の技術】
コンピュータの標準的なＩ／Ｏインターフェースの規格として、ＳＣＳＩ(Small Computer System Interface)規格を例として挙げることができる。例えば、このＳＣＳＩ規格のＩ／Ｏインターフェースを用いると、ディスク装置などの複数のデバイス（ノード）を共通のＳＣＳＩバスで接続して、これらのデバイスの間でデータを伝送することができる。
【０００３】
データ伝送の高速化のためには、例えば「２００１年１月１７日，日経産業新聞１面」（文献１）に開示された光配線を用いたプリント基板、あるいは、例えば「新しい概念  光シートバステクノロジー（小関  他，”エレクトロニクス”Ｎｏ．５５７（２００１年１０月号），ｐ４９〜５３，株式会社オーム社）」（文献２）、「光拡散シートを用いた光分岐器の特性評価（浜田  他，信学技報(Technical Report of IEICE)），ＯＣＳ９９−７２（１９９９年１０月）」（文献３）および「光拡散シートを用いた光バックプレーンの伝送特性評価（岡田  他，信学技報(Technical Report of IEICE)），ＯＣＳ９９−７３（１９９９年１０月）」（文献４）等に開示された光バスが提案されている。
【０００４】
例えば、ＳＣＳＩバスとして光バスを用いると、データ伝送の高速化が可能である。
このように、光バスを用いてデータ伝送を行う場合、光バスを伝送される伝送信号からクロック信号およびフレーム信号を抽出し、各デバイス（ノード）でデータ伝送に用いることにより、各デバイス（ノード）でデータ伝送のタイミングを同期させることができる。
しかしながら、ＳＣＳＩ規格は、複数のデバイス（ノード）が同じタイミングで同時にＳＣＳＩバスに対して出力しうる信号（例えばＢＳＹ，ＲＳＴ）を含んでいるので、複数のデバイスが、このような信号を同時に光バスに出力すると、伝送される複数の光学信号が加算され、データの論理値１，０に対応するＨ，Ｌ以外の強度をとりうるようになる。
つまり、ｎ個のデバイス（ノード）が同じタイミングで信号を光バスに出力すると、出力された信号の数ｎと、出力された信号それぞれの論理値１，０に応じて、光バス上でこれらが重ね合わされて、強度がｎ×Ｈ，（ｎ−１）×Ｈ，．．．，Ｈ，Ｌのいずれかの値をとる多値信号が生じてしまう。
【０００５】
このように、多値信号を含む伝送信号からクロック信号およびフレーム信号を抽出しようとすると、信号パターンに依存するジッタが生じやすかったり、受信回路に非常に広いダイナミックレンジが要求されたりするという問題がある。
また、各デバイス（ノード）を高速に動作させようとするとクロック信号の周波数も高くなってしまう。
【０００６】
【発明が解決しようとする課題】
本発明は、上述した背景からなされたものであり、多値信号からクロック信号およびフレーム信号を抽出しなくても、光バスに接続された多くのデバイス（ノード）の間で、高速かつ同期したデータ伝送が可能な信号伝送システムおよびその装置を提供することを目的とする。
【０００７】
【課題を解決するための手段】
［第１の信号伝送システム］
上記目的を達成するために、本発明にかかる第１の信号伝送システムは、伝送データの同期伝送に用いられる光学的なフレーム信号を生成するフレーム信号生成手段と、前記生成されたフレーム信号を光学的に伝送する第１の光学伝送手段と、前記伝送されたフレーム信号を受信し、前記受信されたフレーム信号からクロック信号を生成するクロック生成手段と、前記受信されたフレーム信号を用いて、前記生成されたクロック信号に同期した前記伝送データを示す光学的な伝送信号を生成する伝送信号生成手段と、前記生成された伝送信号を光学的に伝送する第２の光学伝送手段とを有する。
【０００８】
好適には、前記伝送された伝送信号を受信し、前記受信されたフレーム信号と前記生成されたクロック信号とを用いて、前記受信された伝送信号から前記伝送データを復元する伝送データ復元手段を有する。
【０００９】
［第１の信号伝送システムの説明］
フレーム信号生成手段は、例えば、信号伝送システム全体のデータ伝送のタイミングを規定するクロック信号を分周し、データ伝送に用いられる伝送フレームを示すフレーム信号を電気的に生成し、この電気的なフレーム信号を光学信号に変換して第１の光学伝送手段に対して出力する。
第１の光学伝送手段は、例えば、光拡散シートを用いた光バスであって、光学的なフレーム信号を、光バスに接続された各デバイス（ノード）に伝送する。
【００１０】
各ノードにおいて、クロック生成手段は、例えば、ＰＬＬ制御の周波数てい倍回路を含み、光バス（第１の光学伝送手段）を伝送されてきた光学的なフレーム信号を電気的な信号に変換し、さらに、このフレーム信号に同期したクロック信号を生成する。
伝送信号生成手段は、例えば、パラレル形式で入力された電気的な伝送データを、生成されたクロック信号および受信されたフレーム信号に同期してシリアル形式に変換し、さらに、光学的な伝送信号に変換して第２の光学伝送手段に対して出力する。
【００１１】
第２の光学伝送手段は、各デバイス（ノード）から出力された伝送信号を、他のデバイス（ノード）に対して伝送する。
第１の信号伝送システムにおいては、クロック信号はバスを介して伝送されず、代わりに、クロック信号より周波数が低いフレーム信号が各デバイス（ノード）に供給されるので、周波数が高いクロック信号を、各デバイス（ノード）の基板上で長い距離、引き回さないですむ。
また、伝送信号とフレーム信号とで伝送路を分けてあるので、ジッタの発生などの不具合が生じにくい。
【００１２】
［第２の信号伝送システム］
また、本発明にかかる第２の信号伝送システムは、伝送データの同期伝送に用いられる光学的なフレーム信号を生成するフレーム信号生成手段と、前記生成されたフレーム信号を光学的に伝送する第１の光学伝送手段と、前記伝送データを示す光学的な伝送信号の送信および受信またはこれらのいずれかをそれぞれ行う複数の伝送信号送信・受信手段と、前記伝送信号を光学的に伝送する第２の光学伝送手段とを有し、前記複数の伝送信号送信・受信手段それぞれは、前記伝送されたフレーム信号を受信し、前記受信されたフレーム信号からクロック信号を生成するクロック生成手段と、前記受信されたフレーム信号を用いて、前記生成されたクロック信号に同期した前記伝送データを示す光学的な伝送信号を生成する伝送信号生成手段、および、前記伝送された伝送信号を受信し、前記受信されたフレーム信号と前記生成されたクロック信号とを用いて、前記受信された伝送信号から前記伝送データを復元する伝送データ復元手段またはこれらのいずれかとを有する。
【００１３】
好適には、前記伝送された伝送信号は、一時に前記複数の伝送信号送信・受信手段のいずれかのみが送信する１つ以上の第１の伝送信号、および、一時に前記伝送信号送信・受信手段の内の２つ以上が送信しうる１つ以上の第２の伝送信号またはこれらのいずれかを含み、前記第２の光学伝送手段は、前記第２の伝送信号を光学的に伝送する第３の光学伝送手段を含む。
【００１４】
［第２の信号伝送システムの説明］
第２の信号伝送システムは、例えば、多値信号の伝送についてさらに考慮を加えたものであって、ＳＣＳＩ規格におけるＢＳＹ，ＲＳＴ信号など、複数のデバイス（ノード）が同時に光バス上に出力しうる信号の伝送のために、独立した第３の光学伝送手段を用いるので、多値信号以外の信号（２値信号）の識別が容易になり、２信号の受信部を、多値信号に比べてダイナミックレンジが狭い安価な部品で構成することができる。
【００１５】
［伝送信号送信・受信装置］
また、本発明にかかる伝送信号送信・受信装置は、伝送データの同期伝送に用いられる光学的なフレーム信号をフレーム信号を第１の光学伝送路を介して伝送し、前記伝送データを示す伝送信号を第２の光学伝送路を介して伝送する信号伝送システムにおいて、前記伝送データを示す光学的な伝送信号の送信および受信またはこれらのいずれかを行う伝送信号送信・受信装置であって、前記伝送されたフレーム信号を受信し、前記受信されたフレーム信号からクロック信号を生成するクロック生成手段と、前記受信されたフレーム信号を用いて、前記生成されたクロック信号に同期した前記伝送データを示す光学的な伝送信号を生成する伝送信号生成手段、および、前記伝送された伝送信号を受信し、前記受信されたフレーム信号と前記生成されたクロック信号とを用いて、前記受信された伝送信号から前記伝送データを復元する伝送データ復元手段またはこれらのいずれかとを有する。
【００１６】
【発明の実施の形態】
［第１の実施形態］
以下、本発明の第１の実施形態を説明する。
図１は、本願にかかるデータ処理システム１の構成を示す図である。
図１に示すように、データ処理システム１は、光バス２、Ｎ個のノード４−１〜４−Ｎ（ノード＃１〜＃Ｎ；Ｎは整数）およびフレーム信号発生回路１０から構成される。
光バス２は、シリアル信号バス３およびフレーム信号線２０を含む。
シリアル信号バス３は、Ｊ本（Ｊは整数）の光伝送路３０−１〜３０−Ｊを含む。
【００１７】
図２は、図１に示したデータ処理システム１において、ノードの数を４（Ｎ＝４）とし、シリアル信号バス３の光伝送路の数を４（Ｊ＝４）とした場合の具体例を示す図である。
なお、以下、説明を具体化し、発明の理解を容易にするために、図２に示すように、データ処理システム１が４個（Ｎ＝４）のノード（＃１〜＃４）４−１〜４−４および４本（Ｊ＝４）の光伝送路（Ａ〜Ｄ）３０−１〜３０−４を含む場合を具体例として説明する。
データ処理システム１は、各種デバイス（ノード４−１〜４−４）を、光バス２を介して接続したシステムであって、例えば、これらのノード４−１〜４−４の間で、ＳＣＳＩ規格に従って光バス２を介してデータをやり取りして、例えば、数値計算、データの入出力および記憶などの処理を行う。
【００１８】
［フレーム信号発生回路１０］
図３は、図２に示したフレーム信号発生回路１０の構成を示す図である。
図４（Ａ）〜（Ｆ）はそれぞれ、図２に示したフレーム信号発生回路１０が発生するフレーム信号ＦＲ、クロック信号ＣＬＫおよび光伝送路３０−１〜３０−４（Ａ〜Ｄ）上の伝送信号を示す図である。
図３に示すように、フレーム信号発生回路１０は、クロック発生回路１００、分周回路１０２、送信回路６４８および電気・光学信号変換回路（ＥＯ変換回路）６５０から構成される。
【００１９】
クロック発生回路１００は、図４（Ｃ）〜（Ｆ）に示す光伝送路３０−１〜３０−４上の伝送信号Ａ０〜Ａ７，Ｂ０〜Ｂ７，Ｃ０〜Ｃ７，Ｄ０〜Ｄ７に同期した図４（Ｂ）に示すクロック信号ＣＬＫを生成し、分周回路１０２に対して出力する。
分周回路１０２は、クロック発生回路１００から入力されたクロック信号ＣＬＫを８分周し、、図４（Ｃ）〜（Ｆ）に示す光伝送路３０−１〜３０−４上の伝送信号Ａ０〜Ａ７，Ｂ０〜Ｂ７，Ｃ０〜Ｃ７，Ｄ０〜Ｄ７の伝送フレームに同期した図４（Ａ）に示すフレーム信号ＦＲを生成して送信回路６４８に対して出力する。
送信回路６４８は、分周回路１０２から入力されたフレーム信号ＦＲを電流信号に変換し、ＥＯ変換回路６５０に対して出力する。
ＥＯ変換回路６５０は、電気信号を光学信号に変換するレーザダイオード（ＬＤ；図示せず）などから構成され、送信回路６４８から入力された電流信号を光学信号に変換し、光学的なフレーム信号ＦＲとして、フレーム信号線２０（図２）を介してノード４−１〜４−４に供給する。
【００２０】
［ノード４−ｎ］
図５は、図２に示したノード４−ｎ（＃ｎ；１≦ｎ≦４）の構成を示す図である。
図５に示すように、ノード４−ｎは、クロック再生回路５、光伝送路３０−１〜光伝送路３０−４それぞれに対応して設けられるバスインターフェース（バスＩＦ）部６−１〜６−４（Ａ〜Ｄ）、インターフェース制御部４０、データ組立回路４２およびデータ処理部４４から構成される。
【００２１】
［ノード４−ｎの概要］
ノード４−ｎは、上述のように、例えば、プロセッサ回路、入出力（ＩＯ）回路あるいはハードディスク装置などのデータ処理用デバイスであって、ＳＣＳＩ規格に従ってデータを他のノードと光バス２を介して送受信する。
ノード４−ｎが伝送するデータには、ＳＣＳＩ規格におけるＲＳＴおよびＢＳＹのように、ノード４−１〜４−４の内の複数が同時に出力することを許されたデータ（第２のデータ）と、一時にノード４−１〜４−４のいずれか１つのみが出力することを許され、複数のノードが同時に出力することは許されないデータ（第１のデータ）とが含まれる。
【００２２】
例えば、ノード４−ｎが正論理で信号を入出力するように構成され、伝送データの論理値１に対応して強度Ｈの光学信号を光バス２（光伝送路３０−１〜３０−４のいずれかの）上に出力し、論理値０に対応して強度Ｌ（＝０）の光学信号を光バス２上に出力すると、上記第１のデータに対応する光学信号（第１の信号）の強度は、強度Ｈ，Ｌ（＝０）のいずれかの２種類の値をとる。
このように、光バス２上で２種類の強度しかとりえない信号を、以下、２値信号と呼ぶ。
【００２３】
これに対し、伝送路上に複数の光学信号が出力されると、信号強度は３種類以上の値（多値）をとりうる。
例えば、ノード４−１〜４−４の全てが論理値１に対応する強度Ｈの光学信号を光バス２に出力した場合、光学信号は光バス２上で強め合って強度４×Ｈ（Ｎ×Ｈ；Ｎ＝４）の光学信号となる。
また、例えば、ノード４−１〜４−４の内の３つが光学信号を光バス２上に出力したとしても、論理値１に対応する強度Ｈの光学信号を出力するノードが１つであれば、光バス２上の光学信号の強度はＨとなる。
このように、光学信号を出力するノード（＝出力される光学信号の数）、および、光学信号に対応するデータの論理値に応じて、光バス２上の信号強度が強度４×Ｈ，３×Ｈ，２×Ｈ，Ｈ，０の５種類（一般的には、Ｎ×Ｈ，（Ｎ−１）×Ｈ，．．．，２×Ｈ，Ｈ，０の（Ｎ＋１）のＮ＋１種類）の値をとりうる信号を、以下、多値信号と呼び、多値信号に対応するデータを多値データと呼ぶ。
【００２４】
一般に、伝送されてきた光学信号からデータを識別するためには、光学信号を電圧信号に変換し、この電圧信号の平均値を取って閾値として用いて、電圧信号の電圧が閾値より高い場合に論理値１、低い場合に論理値０と識別する方法が採られる。
この閾値の最適値は、２値データの識別のためには、強度Ｈの光学信号から得られる電圧Ｈと強度０の光学信号に対応する電圧０の中間値、電圧０．５×Ｈであり、閾値がこの電圧から著しく偏ると、ノイズの影響等でデータの識別が不正確になり、あるいは、閾値が電圧Ｈより高くなると、データの識別が不可能になる。
【００２５】
ノード４−ｎは、このような不具合に対応するために、上記閾値を電圧０．５×Ｈ付近に近づけるように値が選ばれる符号データを、伝送しようとするデータの本体（本体データＤＯＵＴ）に付加する方法を採る。
以下、記述の簡略化のために、このように符号データを付して閾値を適切な範囲に保つ処理を、電気的な信号伝送になぞらえて、「ＤＣバランスをとる」とも記載し、閾値および閾値に対応する光学信号の平均値を「ＤＣレベル」とも記載する。
【００２６】
しかしながら、多値信号の強度の範囲は広く、閾値に与える影響が大きいので、例えば、多値信号の強度が最大になった場合には、閾値を著しく高電圧側に偏らせてしまう。
従って、光バス２の光伝送路３０−１〜３０−４のいずれか１本に多くの多値信号が集中し、しかも、多値信号が最高値をとった場合には、閾値が著しく高電圧側に偏ってしまうので、本体データＤＯＵＴにどのような符号データを付加しても、ＤＣバランスがとれなくなってしまう可能性がある。
【００２７】
このような不具合に対応するために、ノード４−ｎは、本体データＤＯＵＴがいかなる値をとっても、つまり、光バス２上の多値信号および２値信号がどのような強度をとったとしても、符号データの値を適切に選べば、閾値を適切な範囲に保つことができるように、光伝送路３０−１〜３０−４に、適切な数の多値信号と２値信号とを配分し、配分データＤＯＵＴ’とする。
つまり、ノード４ーｎは、多くの多値信号を割り当てた光伝送路に対しては、少ない２値信号と多くの符号データを配分し、少ない多値信号を割り当てた光伝送路、あるいは、多値信号を割り当てなかった光伝送路に対しては、多くの２値信号と少ない符号データを配分するようにして、閾値の値を適切な範囲に保って識別誤りを低減するとともに、符号データの過剰な付加によるデータ伝送効率の低下を防止する。
【００２８】
［クロック再生回路５］
図６は、図５に示したクロック再生回路５の構成を示す図である。
図７は、図６に示した受信回路６２の構成を示す図である。
図６に示すように、クロック再生回路５は、光学・電気信号変換回路（ＯＥ変換回路）６００、受信回路６２および周波数てい（逓）倍回路５００から構成される。
図７に示すように、受信回路６２は、Ｉ−Ｖ変換回路６２０、閾値発生回路６２２および比較回路６２４から構成される。
【００２９】
ＯＥ変換回路６００（図６）は、光学信号を電気信号に変換するフォトダイオードなどから構成され、フレーム信号線２０を介して光学的に伝送されてきたフレーム信号ＦＲを電流信号Ｉに変換し、受信回路６２に対して出力する。
【００３０】
受信回路６２のＩ−Ｖ変換回路６２０（図７）は、ＯＥ変換回路６００から入力されたフレーム信号ＦＲの電流信号Ｉを電圧信号Ｖに変換し、閾値発生回路６２２および比較回路６２４に対して出力する。
【００３１】
閾値発生回路６２２（図７）は、Ｉ−Ｖ変換回路６２０から入力されたフレーム信号ＦＲの電圧信号Ｖの平均電圧値を求め、閾値Ｖｔｈとして比較回路６２４に対して出力する。
なお、図４（Ａ）に示したように、フレーム信号ＦＲは５０％デューティの信号なので、閾値発生回路６２２が出力する閾値Ｖｔｈは電圧０．５×Ｈとなる。
【００３２】
比較回路６２４（図７）は、閾値発生回路６２２から入力された閾値Ｖｔｈと、Ｉ−Ｖ変換回路６２０から入力されたフレーム信号ＦＲの電圧信号Ｖとを比較し、電圧信号Ｖの電圧が閾値Ｖｔｈより高くなる部分を論理値１に識別し、電圧信号Ｖの電圧が閾値Ｖｔｈより高くない部分を論理値０に識別して、デジタル形式のフレーム信号ＦＲ（図４（Ａ））として周波数てい倍回路５００およびノード４−ｎの各構成部分（図５）に対して出力する。
【００３３】
周波数てい倍回路５００（図６）は、例えば、ＰＬＬ制御の発振回路などから構成され、受信回路６２から入力されたフレーム信号を８逓倍し、図４（Ｂ）に示したクロック信号を再生して、ノード４−ｎの各構成部分（図５）に対して出力する。
【００３４】
［データ処理部４４］
データ処理部４４（図５）は、ノード４−ｎのデータ処理機能を実現するための構成部分、例えば、ノード４ーｎが数値計算用デバイスである場合には数値計算用プロセッサ等（図示せず）から構成され、あるいは、ノード４ーｎが記録デバイスである場合には記録装置とその制御回路等（いずれも図示せず）から構成される。
データ処理部４４は、ノード４−ｎのデータ処理機能を行い、本体データＤＯＵＴを生成してバスＩＦ部６−１〜６−４に対して出力する。
また、データ処理部４４は、ＳＣＳＩコントローラとしての機能を実現し、他のノードとの間のデータ伝送を、ＳＣＳＩ規格に従って制御する。
また、例えば、ノード４−１のデータ処理部４４は、本体データＤＯＵＴに含まれる第１のデータおよび第２のデータそれぞれを、バスＩＦ部６−ｊおよび光伝送路３０−ｊ（１≦ｊ≦Ｊ；ただし、以下の説明ではＪ＝４）それぞれに分配し、配分結果を設定データＳＤとしてインターフェース制御部４０に対して設定する。
【００３５】
図８は、図５に示したデータ処理部４４が、伝送しようとする本体データＤＯＵＴに含まれる第１のデータおよび第２のデータそれぞれを、バスＩＦ部６−ｊおよび光伝送路３０−ｊそれぞれに分配する処理を、ＰＡＤの形式で示す処理フロー図である。
なお、図８に示す処理フローにおける各記号の意味は、下表１に示す通りであり、ノード数を４に限定せずＪとしてある。
【００３６】
【表１】
ｋ            ：本体データに含まれるビットの番号（１≦ｋ≦Ｋ）
ｊ            ：光伝送路３０−１〜３０−Ｊの番号
Ｍ            ：伝送フレームのビット数（Ｍ＝（Ｋ＋符号ビット数）／Ｊ）
ｓｕｍ（ｊ）  ：光伝送路３０−ｊ上の光学信号強度の平均値
ｔｍｐ（ｊ）  ：光伝送路３０−ｊ上の光学信号強度の平均値に関する作業変数
ｃｎｔ（ｊ）  ：光伝送路３０−ｊに配分される本体データのビット数
ｐｍａｘ      ：ＤＣレベルの上限値
ｐｍｉｎ      ：ＤＣレベルの下限値
ｓｕｍｍｉｎ  ：ｓｕｍ（１）〜ｓｕｍ（Ｊ）の最小値
ａｒｇｍｉｎ  ：ｓｕｍｍｉｎを与えるパラメータｊ
【００３７】
以下、図８を参照して、データ処理部４４（図５）の分配処理をさらに説明する。
ステップ１００（Ｓ１００）において、データ処理部４４は、光伝送路３０−１〜光伝送路３０−Ｊそれぞれの光学信号強度の平均値ｓｕｍ（１）〜ｓｕｍ（Ｊ）および光伝送路３０−ｊに配分された信号数ｃｎｔ（１）〜ｃｎｔ（Ｊ）それぞれに数値０を代入する。
【００３８】
ステップ１１０（Ｓ１１０）において、データ処理部４４は、以下に示すＳ１１２〜Ｓ１４４の処理を本体データＤＯＵＴの第１のデータおよび第２のデータ、つまり、本体データＤＯＵＴのビット１〜Ｋ（Ｋは本体データＤＯＵＴのビット数）それぞれに関して行い、ビット１〜Ｋに対応する第１の信号および第２の信号それぞれの強度が最大の場合に、ビット１〜Ｋに対応する第１の信号および第２の信号の強度の平均値（ＤＣレベル）が上記ｐｍａｘ以下であることを条件として、本体データＤＯＵＴのビット１〜Ｋを、光伝送路３０−１〜光伝送路３０−Ｊに対して出力する伝送フレームのビットそれぞれに配分し、分配データＤＯＵＴ’とする。
【００３９】
ステップ１１２（Ｓ１１２）において、データ処理部４４は、本体データＤＯＵＴのビットｋに対応する光学信号（信号ｋ）の最大強度を、伝送フレームのビット数Ｍで除算した値（信号ｋの最大強度レベル／Ｍ）を変数Ｌに代入する。
【００４０】
ステップ１２０（Ｓ１２０）において、データ処理部４４は、光伝送路３０−１〜３０−Ｊの信号強度ｓｕｍ（１）〜ｓｕｍ（Ｊ）それぞれにＳ１１２の処理において算出された変数Ｌの値を加え、作業変数ｔｍｐ（１）〜ｔｍｐ（Ｊ）に代入する。
【００４１】
ステップ１２２（Ｓ１２２）において、データ処理部４４は、作業変数ｓｕｍｍｉｎに処理上充分に大きな値（∞）を代入し、作業変数ａｒｇｍｉｎに０を代入する。
【００４２】
ステップ１３０（Ｓ１３０）において、データ処理部４４は、以下に示すＳ１３２およびＳ１３４の処理を光伝送路３０−１〜３０−Ｊについて繰り返し、Ｓ１２０の処理において得られた光伝送路３０−１〜３０−ＪそれぞれのＤＣレベルを示す作業変数ｔｍｐ（１）〜ｔｍｐ（Ｊ）の値を判断し、作業変数ｓｕｍｍｉｎ，ａｒｇｍｉｎの値を更新する。
【００４３】
ステップ１３２（Ｓ１３２）において、データ処理部４４は、作業変数ｔｍｐ（ｊ）が示す光伝送路３０−ｊの平均信号強度がＤＣレベルの上限値ｐｍａｘ以下であり、かつ、作業変数ｔｍｐ（ｊ）の値が作業変数ｓｕｍｍｉｎの値以下であるか否かを判断する。
【００４４】
作業変数ｔｍｐ（ｊ）がＳ１３２に示した条件を満たす場合、ステップ１３４（Ｓ１３４）において、データ処理部４４は、Ｓ作業変数ｓｕｍｍｉｎにｔｍｐ（ｊ）の値を代入し、作業変数ａｒｇｍｉｎにパラメータｊを代入する。
【００４５】
ステップ１４０（Ｓ１４０）において、データ処理部４４は、作業変数ａｒｇｍｉｎの値が０であるか否か、つまり、本体データＤＯＵＴのビットｋを配分した場合に、ＤＣレベルｐｍａｘ以下のＤＣレベルを与える光伝送路３０−ｊが存在するか否かを判断する。
【００４６】
作業変数ａｒｇｍｉｎの値が０であり、本体データＤＯＵＴのビットｋを配分した場合に、ＤＣレベルｐｍａｘ以下のＤＣレベルを与える光伝送路３０−ｊが存在しない場合には、ステップ１４２（Ｓ１４２）において、データ処理部４４は、本体データＤＯＵＴの配分が不可能であり、その伝送が不可能であると判断し、処理を中止する。
【００４７】
作業変数ａｒｇｍｉｎの値が０でなく、本体データＤＯＵＴのビットｋを配分した場合に、ＤＣレベルｐｍａｘ以下のＤＣレベルを与える光伝送路３０−ｊが存在する場合には、ステップ１４４（Ｓ１４４）において、データ処理部４４は、本体データＤＯＵＴのビットｋを光伝送路３０−（ａｒｇｍｉｎ）に配分するとともに、配分された信号数を表すｃｎｔ（ａｒｇｍｉｎ）をインクリメントする。
【００４８】
ステップ１５０（Ｓ１５０）において、データ処理部４４は、以下に示すＳ１５２〜Ｓ１５６の処理を、光伝送路３０−１〜３０−Ｊについて繰り返し、本体データＤＯＵＴの全ビット１〜Ｋの論理値が０、つまり、信号１〜Ｋの強度が最小（０）となる場合に、本体データに付加される符号データの全ビットの論理値を１として、光伝送路３０−１〜０−４のＤＣレベルがＤＣレベルｐｍｉｎ以上になるか否かを判断する。
【００４９】
ステップ１５２（Ｓ１５２）において、データ処理部４４は、光伝送路３０−ｊに割り当てられた配分データＤＯＵＴ’の全ビットが論理値０である場合に、光伝送路３０−ｊの伝送フレームの残りのビット全てを論理値１とした場合に、光伝送路３０−ｊのＤＣレベル（（Ｍ−ｃｎｔ（ｊ））／Ｍ）が、ＤＣレベルの下限値ｐｍｉｎ以上になるか否かを判断する。
【００５０】
光伝送路３０−ｊのＤＣレベル（（Ｍ−ｃｎｔ（ｊ））／Ｍ）が、ＤＣレベルの下限値ｐｍｉｎ以上となる場合、ステップ１５４（Ｓ１５４）において、データ処理部４４は、光伝送路３０−ｊの伝送フレームの残りのビット全てを符号データを配分する。
【００５１】
光伝送路３０−ｊのＤＣレベル（（Ｍ−ｃｎｔ（ｊ））／Ｍ）が、ＤＣレベルの下限値ｐｍｉｎより小さい場合、ステップ１５６（Ｓ１５６）において、データ処理部４４は、本体データの配分が不可能であり、その伝送が不可能であると判断し、処理を中止する。
【００５２】
例えば、本体データＤＯＵＴのビット数を１６（Ｋ＝１６）とし、本体データＤＯＵＴの第１ビットおよび第２ビットが、ノード４−１〜４−２の内の複数が同時に光バス２に対して出力しうる第２のデータ、第３ビット〜第１６ビットが、一時にノード４−１〜４−４のいずれか１つだけが光バス２に対して出力しうる第１のデータとすると、本体データＤＯＵＴのビットｋに対応する信号ｋがとり得る信号強度は、下表２の通りとなる。
【００５３】
【表２】
信号１，２    ：  ４Ｈ，３Ｈ，２Ｈ，Ｈ，０
信号３〜１６  ：    Ｈ，０
【００５４】
例えば、光伝送路３０−１〜３−４それぞれの伝送フレームのビット数を図４（Ｃ）〜（Ｆ）に示したように８ビットとし、図２に示したように光伝送路の数を４（Ｊ＝４）とし、ＤＣバランスの上限値ｐｍａｘを０．８７５×Ｈ、下限値ｐｍｉｎを０．１２５×Ｈとし、本体データＤＯＵＴの第１ビットおよび第２ビットが、ノード４−１〜４−２の内の複数が同時に光バス２に対して出力しうる第２のデータ、第３ビット〜第１６ビットが、一時にノード４−１〜４−４のいずれか１つだけが光バス２に対して出力しうる第１のデータとすると、図８に示した配分方法により、データ処理部４４が、本体データＤＯＵＴのビット１〜１６を、光伝送路３０−１〜３０−４に配分すると、配分結果は、下表３に示す通り、光伝送路３０−１，３０−２には、それぞれ１ビット分の多値データと、２ビット分の２値データと、５ビット分の符号データとが割り当てられ、光伝送路３０−３，３０−４には、それぞれ０ビット分の多値データと、５ビット分の２値データと、３ビット分つの符号データとが割り当てられる。
【００５５】
【表３】
［光伝送路３０−１］
Ａ０，  Ａ１，  Ａ２，  Ａ３，  Ａ４，  Ａ５，  Ａ６，  Ａ７
ｂ１，ｂ１１，ｂ１５，    ｃ，    ｃ，    ｃ，    ｃ，    ｃ
［光伝送路３０−２］
Ｂ０，  Ｂ１，  Ｂ２，  Ｂ４，  Ｂ５，  Ｂ６，  Ｂ７，  Ｂ７
ｂ２，ｂ１２，ｂ１６，    ｃ，    ｃ，    ｃ，    ｃ，    ｃ
［光伝送路３０−３］
Ｃ０，  Ｃ１，  Ｃ２，  Ｃ３，  Ｃ４，  Ｃ５，  Ｃ６，  Ｃ７
ｂ３，  ｂ５，  ｂ７，  ｂ９，ｂ１３，    ｃ，    ｃ，    ｃ
［光伝送路３０−４］
Ｄ０，  Ｄ１，  Ｄ２，  Ｄ３，  Ｄ４，  Ｄ５，  Ｄ６，  Ｄ７
ｂ４，  ｂ６，  ｂ８，ｂ１０，ｂ１４，    ｃ，    ｃ，    ｃ
ただし、
伝送フレームのビット数を８ビットとし、
光伝送路の数を４（Ｊ＝４）とし、
ＤＣバランスの上限値ｐｍａｘを０．８７５×Ｈとし、
ＤＣバランスの下限値ｐｍｉｎを０．１２５×Ｈとし、
本体データの第１ビットおよび第２ビットを第２のデータとし、
本体データの第３ビット〜第１６ビットを第１のデータとした場合。
なお、表３において、
Ａ０〜Ａ７は、光伝送路３０−１上の各ビットを示し、
Ｂ０〜Ｂ７は、光伝送路３０−２上の各ビットを示し、
Ｃ０〜Ｃ７は、光伝送路３０−３上の各ビットを示し、
Ｄ０〜Ｄ７は、光伝送路３０−４上の各ビットを示し、
ｂｘは本体データのビットｘを示し、
ｃは符号データの各ビットを示す。
【００５６】
［インターフェース制御部４０］
インターフェース制御部４０（図５）は、データ処理部４４から設定される配分結果に基づいて、バスＩＦ部６−１〜６−４を制御する。
【００５７】
［バスＩＦ部６−１〜６−４］
図９は、図５に示したバスＩＦ部６−ｊ（１≦ｊ≦４）の構成を示す図である。
図９に示すように、バスＩＦ部６は、受信部６０、送信部６４および符号値発生回路７０から構成される。
受信部６０は、図６に示したＯＥ変換回路６００、図６および図７に示した受信回路６２、シリアル／パラレル変換回路（Ｓ／Ｐ回路）６０４および符号除去回路６０６から構成される。
送信部６４は、セレクタ回路（ＳＥＬ）６４０、符号付加部６４４、パラレル／シリアル変換回路（Ｐ／Ｓ回路）６４６、送信回路６４８および電気・光学信号変換回路（ＥＯ変換回路）６５０から構成される。
以下、説明を具体化して発明の理解を容易にするために、本体データＤＯＵＴのビット数および光伝送路３０−１〜３０−４への配分等が、表３に示した通りである場合を具体例とする。
【００５８】
［符号値発生回路７０］
符号値発生回路７０は、表３に示したように光伝送路３０−ｊそれぞれに分配された配分データＤＯＵＴ’に従って、配分データＤＯＵＴ’が、いかなる値をとった場合であっても、光伝送路３０−ｊを介して伝送されてきた信号からデータを識別するために、ＤＣバランス（閾値）が適切な範囲内になるように、下表４に示すようにその値（光伝送路３０−１，３０−２に対して１，０，０，０、光伝送路３０−３，４に対してＣ０，Ｃ１，Ｃ２またはＤ０，Ｄ１，Ｄ２の論理値を反転した値）が選択された固定値の符号データＣを、符号付加部６４４に対して出力する。
ただし、ここでは、４つのノード＃１〜＃４のうちの１つに含まれる符号値発生回路７０のみが上述の動作をし、他の３つのノードに含まれる符号発生回路７０は、符号値Ｃとして論理値０を出力する。
【００５９】
【表４】
［光伝送路３０−１]
Ａ０，  Ａ１，  Ａ２，  Ａ３，  Ａ４，  Ａ５，  Ａ６，  Ａ７
ｂ１，ｂ１１，ｂ１５，    １，    ０，    ０，    ０，    ０
［光伝送路３０−２］
Ｂ０，  Ｂ１，  Ｂ２，  Ｂ４，  Ｂ５，  Ｂ６，  Ｂ７，  Ｂ７
ｂ２，ｂ１２，ｂ１６，    １，    ０，    ０，    ０，    ０
［光伝送路３０−３］
Ｃ０，  Ｃ１，  Ｃ２，  Ｃ４，  Ｃ５，  Ｃ６，  Ｃ７，  Ｃ７
ｂ３，  ｂ５，  ｂ７，  ｂ９，ｂ１３，  Ｃ０，  Ｃ１，  Ｃ２
［光伝送路３０−４］
Ｄ０，  Ｄ１，  Ｄ２，  Ｄ４，  Ｄ５，  Ｄ６，  Ｄ７，  Ｄ７
ｂ４，  ｂ６，  ｂ８，ｂ１０，ｂ１４，  Ｄ０，  Ｄ１，  Ｄ２
ただし、下線は論理値が反転されていることを示す。
【００６０】
なお、表４に示す符号データそれぞれを、光伝送路３０−１〜３０−４それぞれに分配された配分データＤＯＵＴ’に付加すると、光伝送路３０−１，３０−２については、ＤＣバランスの値は０．８７５×Ｈ（＝７／８×Ｈ）〜０．１２５×Ｈ（＝１／８×Ｈ）の範囲となり、光伝送路３０−３，３０−４のＤＣバランスの値は強度０．６２５×Ｈ（＝５／８×Ｈ）〜０．３７５×Ｈ（＝３／８×Ｈ）の範囲となり、配分データＤＯＵＴ’がいかなる値をとった場合であっても、ＤＣバランス（閾値）が適切な範囲内に保つことができることがわかる。
【００６１】
［ＳＥＬ６４０］
バスＩＦ部６−ｊ（図５）の送信部６４において、ＳＥＬ６４０は、表３に示したインターフェース制御部４０からの配分データＤＯＵＴ’の設定に従って、データ組立回路４２から入力される１６ビット本体データＤＯＵＴから、光伝送路３０−ｊ（図２等）に分配された配分データＤＯＵＴ’を選択し、符号付加部６４４に対して出力する。
【００６２】
［符号付加部６４４］
バスＩＦ部６−ｊの符号付加部６４４は、符号値発生回路７０から入力される固定値の符号データを、ＳＥＬ６４０から入力された配分データＤＯＵＴ’に付加し、表４に示した８ビット並列（Ｍ＝８）の伝送データを生成し、Ｐ／Ｓ回路６４６に対して出力する。
【００６３】
[Ｐ／Ｓ回路６４６]
バスＩＦ部６−ｊのＰ／Ｓ回路６４６は、クロック再生回路５（図５）から入力されるフレーム信号ＦＲおよびクロック信号ＣＬＫ（図４（Ａ），（Ｂ））に同期して動作し、符号付加部６４４から入力された８ビットパラレル形式（表４）の伝送データを、図４（Ｃ）〜（Ｆ）に示したシリアル形式の伝送データに変換し、電圧信号Ｖとして送信回路６４８に対して出力する。
【００６４】
[送信回路６４８]
バスＩＦ部６−ｊの送信回路６４８は、Ｐ／Ｓ回路６４６から入力される電圧信号Ｖを電流信号Ｉに変換し、ＥＯ変換回路６５０に対して出力する。
【００６５】
［ＥＯ変換回路６５０］
バスＩＦ部６−ｊのＥＯ変換回路６５０は、送信回路６４８から入力された電流信号Ｉを光学的な信号に変換し、光バス２を介して他のノードのバスＩＦ部６−ｊに対して伝送する。
【００６６】
［ＯＥ変換回路６００]
バスＩＦ部６−ｊの受信部６０において、ＯＥ変換回路６００は、光伝送路３０−ｊから伝送されてきた光学信号（図４（Ｃ）〜（Ｆ））を電気信号に変換し、電流信号Ｉとして受信回路６２に対して出力する。
【００６７】
［受信回路６２］
バスＩＦ部６−ｊの受信回路６２は、クロック再生回路５（図５）から入力されるフレーム信号ＦＲおよびクロック信号ＣＬＫ（図４（Ａ），（Ｂ））に同期して動作し、ＯＥ変換回路６００から入力された電流信号Ｉを電圧信号Ｖに変換し、図４（Ｃ）〜（Ｆ）に示したシリアル形式の伝送データとしてＳ／Ｐ回路６０４に対して出力する。
【００６８】
［Ｓ／Ｐ回路６０４］
バスＩＦ部６−ｊのＳ／Ｐ回路６０４は、受信回路６２から入力されたシリアル形式の伝送データを８ビットパラレル形式の伝送データ（表４）に変換し、符号除去回路６０６に対して出力する。
【００６９】
［符号除去回路６０６］
バスＩＦ部６−ｊの符号除去回路６０６は、Ｓ／Ｐ回路６０４から入力された伝送データから符号データを除去し、配分データＤＩＮ’としてデータ組立回路４２に対して出力する。
【００７０】
［データ組立回路４２］
ノード４−ｎのデータ組立回路４２は、バスＩＦ部６−１〜６−４から入力された配分データＤＩＮ’を組み立てて、本体データＤＯＵＴを復元する。
【００７１】
［光バス２］
図１０は、図２に示した光バス２の構成を示す図であって、（Ａ）は光バス２の上面図であり、（Ｂ）は光バス２の側面図であり、（Ｃ）は、（Ａ），（Ｂ）に示した光伝送路３０−ｊの斜視図である。
図１１は、図１０（Ａ），（Ｂ）に示したフレーム信号線２０の構成を示す図であって、（Ａ）は、図１０（Ａ）に示したフレーム信号線２０の斜視図であって、（Ｂ）は、（Ａ）に示したフレーム信号線２０の側面図である。
【００７２】
図１０（Ａ），（Ｂ）に示すように、光バス２は、光配線基板２４に、光伝送路３０−１〜３０−４およびフレーム信号線２０が埋め込まれた構成をとり、ノード４−１〜４−４は、光伝送路３０−１〜光伝送路３０−４およびフレーム信号線２０の反射面３０２−１〜３０２−４（図１０（Ｃ）および図１１（Ａ），（Ｂ）を参照して後述する）との間で光学信号を入出力可能な位置に配設され、光配線基板２４の電気回路２２から電源の供給を受け、さらに、必要に応じて光配線基板２４の電気回路２２との間で電気的な信号を入出力する。
【００７３】
［光伝送路３０−ｊ］
光伝送路３０−ｊは、例えば、図１０（Ｃ）に示す形状に形成されたシート状のポリメチルメタクリレート（ＰＭＭＡ）であって、その一端には反射面３００が設けられている。
光伝送路３０−ｊには、さらに、ノード４−１〜４−４（図２等）の基板の光学信号入出力部（ＯＥ変換回路６００およびＥＯ変換回路６５０；図９）と対向する位置に、これらの基板からの光学信号を反射面３００に導き、反対に、反射面３００により反射された光学信号を反射して、これらの基板に導く反射部３０２−１〜３０２−４が設けられている。
光伝送路３０−ｊは、ノード４−ｎのバスＩＦ部６−ｊから入力された光学信号（図４（Ｃ）〜（Ｆ））を他のノードに対して伝送し、反対に、他のノードから伝送されてきた光学信号をノード４−ｎのバスＩＦ部６−ｊに導く。
【００７４】
［フレーム信号線２０］
フレーム信号線２０は、例えば、図１１（Ａ），（Ｂ）に示すように、光伝送路３０−ｊと同様な形状（図１０（Ｃ））に形成されたシート状のポリメチルメタクリレートであって、フレーム信号発生回路１０（図２および図３）の基板から入力されるフレーム信号を反射する傾斜した反射面３０４が設けられている。フレーム信号線２０には、さらに、光伝送路３０−ｊと同様に、ノード４−１〜４−４の基板の光学信号入力部（ＥＯ変換回路６５０；図９）と対向する位置に、フレーム信号発生回路１０の基板からの光学的なフレーム信号ＦＲを反射して、これらの基板のクロック再生回路５（図５）に導く反射部３０２−１〜３０２−４が設けられている。
フレーム信号線２０は、フレーム信号発生回路１０から入力された光学的なフレーム信号ＦＲを、光伝送路３０−１〜光伝送路３０−４のクロック再生回路５に対して伝送する。
【００７５】
［データ処理システム１の動作］
以下、データ処理システム１の全体的な動作を説明する。
データ処理システム１のフレーム信号発生回路１０（図２および図３）は、図４（Ｂ）に示したクロック信号ＣＬＫを分周し、図４（Ａ）に示したフレーム信号ＦＲを生成し、光バス２（図２等）のフレーム信号線２０を介してノード４−１〜４−４のクロック再生回路５（図５および図６）に対して供給する。
ノード４−１〜４−４のクロック再生回路５は、供給されたフレーム信号ＦＲからクロック信号ＣＬＫを再生し、フレーム信号ＦＲとともに各構成部分に対して供給する。
【００７６】
ノード４−ｎそれぞれにおいて、データ処理部４４は、本体データＤＯＵＴを生成するとともに、ＳＣＳＩコントローラとしての機能を実現し、他のノードとの間のデータ伝送を制御する。
さらに、ノード４−１のデータ処理部４４は、図８に示した配分処理を行って、本体データＤＯＵＴの各ビットをバスＩＦ部６−ｊおよび光伝送路３０−ｊそれぞれに分配する。
さらに、ノード４−１のデータ処理部４４は、表３に示した配分結果を他のノード４−２〜４−４に通知し、ノード４−１〜４−４それぞれのデータ処理部４４は、この配分結果をインターフェース制御部４０に対して設定する。
【００７７】
ノード４−１〜４−４のインターフェース制御部４０（図５）は、データ処理部４４から設定される配分結果に基づいて、ノード４−１のバスＩＦ部６−１〜６−４を制御し、バスＩＦ部６−ｊの符号値発生回路７０（図９）は、インターフェース制御部４０の制御に従って、表４に示した固定値の符号データＣを、符号付加部６４４に対して出力する。
バスＩＦ部６−ｊのＳＥＬ６４０は、インターフェース制御部４０の制御に従って、データ組立回路４２から入力される１６ビット本体データＤＯＵＴから、表３に示した配分データＤＯＵＴ’を選択し、符号付加部６４４に対して出力する。
【００７８】
バスＩＦ部６−ｊの符号付加部６４４は、符号値発生回路７０から入力される固定値の符号データを、ＳＥＬ６４０から入力された配分データＤＯＵＴ’に付加し、表４に示した８ビット並列（Ｍ＝８）の伝送データを生成し、Ｐ／Ｓ回路６４６に対して出力する。
バスＩＦ部６−ｊのＰ／Ｓ回路６４６は、クロック再生回路５（図５）から入力されるフレーム信号ＦＲおよびクロック信号ＣＬＫ（図４（Ａ），（Ｂ））に同期して、符号付加部６４４から入力された８ビットパラレル形式（表４）の伝送データを、図４（Ｃ）〜（Ｆ）に示したシリアル形式の伝送データに変換し、電圧信号Ｖとして送信回路６４８に対して出力する。
【００７９】
バスＩＦ部６−ｊの送信回路６４８は、Ｐ／Ｓ回路６４６から入力される電圧信号Ｖを電流信号Ｉに変換し、ＥＯ変換回路６５０に対して出力する。
バスＩＦ部６−ｊのＥＯ変換回路６５０は、電流信号Ｉを光学的な信号（図４（Ｃ）〜（Ｆ））に変換し、光バス２（図２等）の光伝送路３０−ｊに対して出力する。
光伝送路３０−ｊは、ノード４−ｎのバスＩＦ部６−ｊのＥＯ変換回路６５０から入力された光学信号を、他のノードそれぞれのバスＩＦ部６−ｊのＯＥ変換回路６００へ伝送する。
【００８０】
バスＩＦ部６−ｊのＯＥ変換回路６００は、他のノードのバスＩＦ部６−ｊのＥＯ変換回路６５０から光バス２の光伝送路３０−ｊを介して伝送されてきた光学信号を電流信号Ｉに変換し、受信回路６２に対して出力する。
バスＩＦ部６−ｊの受信回路６２は、ＯＥ変換回路６００から入力された電流信号Ｉを電圧信号Ｖに変換し、図４（Ｃ）〜（Ｆ）に示したシリアル形式の伝送データとしてＳ／Ｐ回路６０４に対して出力する。
バスＩＦ部６−ｊのＳ／Ｐ回路６０４は、フレーム信号ＦＲおよびクロック信号ＣＬＫに同期して動作し、受信回路６２から入力されたシリアル形式の伝送データを８ビットパラレル形式の伝送データ（表４）に変換し、符号除去回路６０６に対して出力する。
【００８１】
バスＩＦ部６−ｊの符号除去回路６０６は、Ｓ／Ｐ回路６０４から入力された伝送データから符号データを除去し、配分データＤＩＮ’としてデータ組立回路４２に対して出力する。
ノード４−ｎのデータ組立回路４２は、バスＩＦ部６−１〜６−４から入力された配分データＤＩＮ’を組み立てて、本体データＤＯＵＴを復元する。
【００８２】
［変形例］
なお、下記の実施形態においては、伝送手段として光バスを例示してあるが、本発明は、複数の信号が重なり合った場合に信号強度が多値信号になりうる伝送路、例えば無線伝送路にも適用可能である。
【００８３】
また、図８に示した本体データＤＯＵＴの配分処理は、ノード４−１〜４−４のいずれのデータ処理部４４が実行してもよい。
つまり、例えば、ノード４−１（図２）のみがデータ処理システム１の構成を認識している場合には、ノード４−１のデータ処理部４４が、図８に示した本体データの配分処理を行い、他のノード４−２〜４−３のデータ処理部４４に対して配分結果を通知し、それぞれのインターフェース制御部４０に設定させてもよく、あるいは、例えば、ノード４−１〜４−４の全てがデータ処理システム１（図２）の構成を認識している場合には、ノード４−１〜４−４それぞれが、図８に示した配分処理を行い、それぞれのインターフェース制御部４０に設定してもよい。
また、全てのノードがデータの送信および受信の両方の機能を備える必要は、必ずしもない。
また、光伝送路３０−ｊにおいて、反射面３００に、光信号を拡散させる機能を持つ反射拡散部を設けてもよい。
【００８４】
また、ノード４−１〜４−４の全てがデータの送信機能と受信機能の両方を有している必要はなく、不要な場合には、任意のノードの送信機能または受信機能を省略することができる。
また、データ処理システム１の各構成要素は、同等の機能を実現することが可能である限り、ハードウェア的に構成されるか、ソフトウェア的に構成されるかを問われない。
また、フレーム信号発生回路１０において、分周回路１０２は必須ではなく、クロック信号発生回路１００の出力信号をフレーム信号ＦＲとして直接、送信回路６４８に入力する構成としてもよい。
【００８５】
［第２の実施形態］
以下、本発明の第２の実施形態を説明する。
なお、以下の第２の実施形態においては、特記なき限り、データ処理システム１の構成、動作およびその他の条件は、第１の実施形態においてと同じである。
【００８６】
図１２は、本発明の第２の実施形態として示すバスＩＦ７−ｊの構成を示す図である。
バスＩＦ部７−ｊは、データ処理システム１（図２）において、バスＩＦ部６−ｊ（図５）と置換されて用いられる。
図１２に示すように、バスＩＦ部７−ｊは、符号値発生回路７０（図９）を符号値発生回路７２で置換した構成をとり、３０−ｊ上のＤＣバランスを、バスＩＦ部６−ｊを用いた場合に比べて改善することができるように構成されている。
【００８７】
［符号値発生回路７２］
バスＩＦ部７−ｊの符号値発生回路７２は、インターフェース制御部４０（図５）の制御に従って、Ｓ／Ｐ回路６０４から入力される伝送データに含まれる配分データＤＩＮ’（表３）の値に応じて、下表５−１，５−２に示すように適応的に符号データを発生し、符号付加部６４４に対して出力する。
【００８８】
【表５】
0003968770.tif 000002
0003968770.tif 000003
0003968770.tif 000004
ただし、表５−１，５−２において、０〜４は、光伝送路３０−ｊにおける信号強度を示し、積分値は各伝送フレームにおける光学信号の信号強度の累加算値を示す。
【００８９】
なお、Ｓ／Ｐ回路６０４から入力される配分データＤＩＮ’は光伝送路３０−ｊから入力された光学信号を識別した結果から得られるデータであり、配分データＤＩＮ’の各ビットの値は、当然、論理値１，０のいずれかの値をとり、光伝送路３０−ｊにおける本体データのビット１，２に対応する光学信号の信号強度を反映しない。
従って、表５−１において、＊を付して示した場合には、本体データのビット１，２（ｂ１，ｂ２）に対応する光学信号の強度は強度４Ｈ，３Ｈ，２Ｈ，Ｈのいずれの値もとりうるので、ＤＣバランスの範囲は強度０．７５×Ｈ〜０．３７５×Ｈとなり、その他の場合にはＤＣバランスは強度０．５×Ｈの最適値となる。
【００９０】
また、従って、表５−２においては、本体データのいずれのビットに対応する光学信号の強度も強度Ｈまたは０なので、＊を付して示した場合にＤＣバランスが強度０．６２５×Ｈまたは強度０．３７５×Ｈとなる他は、全ての場合でＤＣバランスは強度０．５×Ｈの最適値となる。
表４と表５−１，５−２を比較してわかるように、バスＩＦ部７−ｊを用いた場合には、バスＩＦ部６−ｊを用いる場合に比べて、ＤＣバランスを最適値（０．５×Ｈ）に保つことができる場合が広く、しかも、ＤＣバランスのばらつきを狭い範囲内に保つことができるので、データ識別における誤りの発生を低く抑えることができる。
【００９１】
以上示したように、バスＩＦ部６−ｊをバスＩＦ部７−ｊで置換し、バスＩＦ部７−ｊが、光伝送路３０−ｊから受信され、識別された配分データＤＩＮ’の値に対して適応的に符号データを発生し、同じ伝送フレーム（図４（Ｃ）〜（Ｆ））において、この配分データＤＩＮ’の後ろに付加して伝送することにより、表４に示した場合に比べ、光伝送路３０−ｊそれぞれの上のＤＣバランスを大きく改善することができる。
【００９２】
［第３の実施形態］
以下、本発明の第３の実施形態を説明する。
なお、以下の第３の実施形態においては、特記なき限り、データ処理システム１の構成、動作およびその他の条件は、第１の実施形態においてと同じである。
【００９３】
図１３は、本発明の第３の実施形態として示すバスＩＦ８−ｊの構成を示す図である。
バスＩＦ部８−ｊは、データ処理システム１（図２）において、バスＩＦ部６−ｊ（図５）と置換されて用いられる。
図１３に示すように、バスＩＦ部７−ｊは、符号データＣを発生した符号値発生回路７０（図９）を符号値発生回路７４で置換し、検出部８０を付加した構成をとり、３０−ｊ上のＤＣバランスを、バスＩＦ部６−ｊ，７−ｊを用いた場合に比べて改善することができるように構成されている。
【００９４】
［検出部８０］
検出部８０は、Ｉ−Ｖ変換回路８００、積分回路８０２およびアナログ／デジタル変換回路（Ａ／Ｄ回路）８０４から構成される。
検出部８０は、これらの構成部分により、ＯＥ変換回路６００から入力される電流信号Ｉから、本体データに対応する光学信号の強度の一定期間内の平均値を求め、符号値発生回路７４に対して出力する。
【００９５】
［Ｉ−Ｖ変換回路８００］
Ｉ−Ｖ変換回路８００は、ＯＥ変換回路６００から入力される電流信号Ｉを、電圧信号Ｖに変換して積分回路８０２に対して出力する。
なお、Ｉ−Ｖ変換回路８００は、受信回路６２内のＩ−Ｖ変換回路６２０と共用することが可能である。
【００９６】
［積分回路８０２］
積分回路８０２は、Ｉ−Ｖ変換回路８００から入力された電圧信号Ｖのうち、配分データ（表３）に対応する部分を、一定期間だけ積分し、積分値をＡ／Ｄ回路８０４に対して出力する。
Ｉ−Ｖ変換回路８００が出力する電圧信号Ｖの電圧値は、光伝送路３０−ｊを伝送される光学信号の強度を反映しているので、積分回路８０２が出力する積分値は、配分データに対応する光学信号の平均値を示す。
【００９７】
［Ａ／Ｄ回路８０４］
Ａ／Ｄ回路８０４は、積分回路８０２から入力した平均値をデジタル値に変換し、符号値発生回路７４に対して出力する。
Ａ／Ｄ回路８０４が出力するデジタル形式の平均値は、例えば、光伝送路３０−１において、本体データのビット１に対応する光学信号の強度が３×Ｈ、ビット１１，ｂ１５に対応する光学信号の強度が、それぞれＨ，０である場合には、これらの累加算値４Ｈを示す数値４となる。
【００９８】
［符号値発生回路７４］
バスＩＦ部７−ｊの符号値発生回路７４は、インターフェース制御部４０（図５）の制御に従って、Ａ／Ｄ回路８０４から入力される積分値に応じて、下表６−１，６−２に示すように適応的に符号データを発生し、符号付加部６４４に対して出力する。
【００９９】
【表６】
0003968770.tif 000005
0003968770.tif 000006
0003968770.tif 000007
ただし、表６−１，６−２において、０〜４は、光伝送路３０−ｊにおける信号強度を示し、積分値は各伝送フレームにおける光学信号の信号強度の累加算値を示す。
【０１００】
なお、表６−２は、表５−２と同じである。
従って、表６−２においては、＊を付して示した場合にＤＣバランスが強度０．６２５×Ｈとなる他は、全ての場合でＤＣバランスは強度０．５×Ｈの最適値となる。
【０１０１】
また、積分値は、光伝送路３０−ｊにおける本体データに対応する光学信号の信号強度を直接、反映している。
従って、表６−１において、＊１を付して示した場合には、ＤＣバランスの値は強度０．６２５×Ｈまたは強度０．３７５×Ｈの値をとり、＊２を付して示した場合には、ＤＣバランスの値は強度０．７５×Ｈをとり、その他の場合には、ＤＣバランスの値は強度０．５の最適値をとる。
表５−１，５−２と表６−１，６−２を比較してわかるように、バスＩＦ部８−ｊを用いた場合には、バスＩＦ部６−ｊ，７−ｊを用いる場合に比べて、ＤＣバランスを最適値（０．５×Ｈ）に保つことができる範囲が広く、しかも、ＤＣバランスのばらつきを狭い範囲内に保つことができるので、データ識別における誤りの発生を低く抑えることができる。
【０１０２】
以上示したように、バスＩＦ部６−ｊをバスＩＦ部８−ｊで置換し、バスＩＦ部８−ｊが、光伝送路３０−ｊから受信された信号強度の平均値に対して適応的に符号データを発生し、同じ伝送フレーム（図４（Ｃ）〜（Ｆ））において、この配分データＤＩＮ’の後ろに付加して伝送することにより、バスＩＦ部６−ｊおよびバスＩＦ部７−ｊを用いた場合に比べ、光伝送路３０−ｊそれぞれの上のＤＣバランスを大きく改善することができる。
【０１０３】
［第４の実施形態］
以下、本発明の第４の実施形態を説明する。
なお、第４の実施形態においては、特記なき限り、データ処理システム１の構成、動作およびその他の条件は、第１の実施形態においてと同じである。
【０１０４】
図１４は、本発明の第４の実施形態として示すノード４６−ｎの構成を示す図である。
図１５は、図１４に示した光バス２６の構成を示す図である。
図１４に示すノード４６−ｎは、図２に示したデータ処理システム１において、ノード４−ｎに置換されて用いられ、図１５に示す光バス２６は、データ処理システム１において、光バス２に置換されて用いられる。
【０１０５】
つまり、ノード４６−ｎは、独立した光伝送路２８を用いて多値データを伝送することができるように、ノード４−ｎに、多値データの伝送を行うための多値信号ＩＦ部４８をさらに加えた構成をとる。
また、図１５に示すように、光バス４６は、光バス２（図２）に、多値信号専用の光伝送路２８をさらに加えた構成をとる。
【０１０６】
ノード４６−ｎにおいて、データ処理部４４は、２値データのみをバスＩＦ部６−ｊ（７−ｊ，８−ｊ）との間でやり取りし、多値データを、多値信号ＩＦを介して、多値信号の伝送専用に用いられる多値信号用光伝送路２８を介して、他のノードと送信および受信する。
【０１０７】
図１６は、図１４に示した多値信号インターフェース部４８の構成を示す図である。
図１６に示すように、多値信号インターフェース（ＩＦ）部４８は、図３に示した送信回路６４８およびＥＯ変換回路６５０、図６および図７に示したＩ−Ｖ変換回路６２０、閾値発生回路６２２および比較回路６２４と、ＡＧＣ回路４８０とから構成される。
【０１０８】
多値信号ＩＦ部４８において、送信回路６４８は、データ処理部４４から入力された多値データを電流信号Ｉに変換し、ＥＯ変換回路６５０に対して出力する。
ＥＯ変換回路６５０は、送信回路６４８から入力された電流信号を光学信号に変換し、光伝送路２８に対して出力する。
【０１０９】
ＯＥ変換回路６００は、光伝送路６００を介して他のノードから伝送されてきた光学的な多値信号を電流信号Ｉに変換し、Ｉ−Ｖ変換回路６２０に対して出力する。
Ｉ−Ｖ変換回路６２０は、ＯＥ変換回路６００から入力された電流信号Ｉを電圧信号Ｖに変換し、ＡＧＣ回路４８０に対して出力する。
【０１１０】
ＡＧＣ増幅回路４８０は、Ｉ−Ｖ変換回路６２０から入力される信号電圧が高い場合には利得を少なくして増幅し、反対に、入力される電圧信号が低い場合には利得を高くして増幅し、２値信号が入力された場合に近い値の電圧信号Ｖとして出力する。
【０１１１】
閾値発生回路６２２は、ＡＧＣ増幅回路４８０から入力された電圧信号Ｖの平均値を求め、閾値Ｖｔｈとして比較回路６２４に対して出力する。
比較回路６２４は、ＡＧＣ増幅回路４８０から入力された電圧信号Ｖと閾値Ｖｔｈとを比較し、電圧信号Ｖから多値データを識別し、データ処理部４４に対して出力する。
【０１１２】
［第４実施形態におけるデータ処理システム１の動作］
以下、データ処理システム１（図２）において、ノード４−ｎをノード４６−ｎに置換し、バスＩＦ部６−ｊ（図９）を、第３実施形態として示したバスＩＦ部８−ｊ（図１３）に置換した場合を具体例に、第４実施形態におけるデータ処理システム１の動作を説明する。
【０１１３】
データ処理システム１のフレーム信号発生回路１０（図２および図３）は、図４（Ｂ）に示したクロック信号ＣＬＫを分周し、図４（Ａ）に示したフレーム信号ＦＲを生成し、光バス２６（図１５）のフレーム信号線２０を介してノード４６−ｎのクロック再生回路５（図１４）に対して供給する。
ノード４６−ｎのクロック再生回路５は、供給されたフレーム信号ＦＲからクロック信号ＣＬＫを再生し、フレーム信号ＦＲとともに各構成部分に対して供給する。
【０１１４】
ノード４６−ｎそれぞれにおいて、データ処理部４４は、本体データＤＯＵＴを生成するとともに、ＳＣＳＩコントローラとしての機能を実現し、他のノードとの間のデータ伝送を制御する。
さらに、ノード４６−１のデータ処理部４４は、図８に示した配分処理を行って、本体データＤＯＵＴに含まれる２値データのみの各ビットをバスＩＦ部８−ｊおよび光伝送路３０−ｊそれぞれに分配し、本体データＤＯＵＴに含まれる多値データを多値信号ＩＦ部４８に対して出力する。
【０１１５】
ノード４６−ｎのインターフェース制御部４０は、データ処理部４４から設定される配分結果に基づいて、バスＩＦ部８−ｊを制御し、バスＩＦ部８−ｊの符号値発生回路７４（図１３）は、検出部８０から入力される平均値に応じて、表６−１，６−２に示した符号データＣを生成し、符号付加部６４４に対して出力する。
多値信号ＩＦ部４８は、データ処理部４４から入力された多値データを多値信号に変換し、光伝送路２８に対して出力する。
【０１１６】
バスＩＦ部８−ｊのＳＥＬ６４０は、インターフェース制御部４０の制御に従って、データ組立回路４２から入力される１６ビット本体データＤＯＵＴから表３に示した配分データＤＯＵＴ’を選択し、さらに、表３に示した配分データＤＯＵＴ’の内の多値データの部分に、論理値１または０のダミーデータを挿入して符号付加部６４４に対して出力する。
【０１１７】
バスＩＦ部８−ｊの符号付加部６４４は、符号値発生回路７４から入力される符号データを、ダミーデータが挿入された配分データＤＯＵＴ’に付加し、表５−２に示した８ビット並列（Ｍ＝８）の伝送データを生成し、Ｐ／Ｓ回路６４６に対して出力する。
バスＩＦ部８−ｊのＰ／Ｓ回路６４６は、クロック再生回路５から入力されるフレーム信号ＦＲおよびクロック信号ＣＬＫ（図４（Ａ），（Ｂ））に同期して、符号付加部６４４から入力された８ビットパラレル形式（表４）の伝送データを、図４（Ｃ）〜（Ｆ）に示したシリアル形式の伝送データに変換し、電圧信号Ｖとして送信回路６４８に対して出力する。
【０１１８】
バスＩＦ部８−ｊの送信回路６４８は、Ｐ／Ｓ回路６４６から入力される電圧信号Ｖを電流信号Ｉに変換し、ＥＯ変換回路６５０に対して出力する。
バスＩＦ部８−ｊのＥＯ変換回路６５０は、電流信号Ｉを光学的な信号（図４（Ｃ）〜（Ｆ））に変換し、光バス２６（図１５）に対して出力する。
光バス２６は、ノード４６−ｎのバスＩＦ部８−ｊから入力された２値信号を光伝送路３０−ｊを介して、多値信号を光伝送路２８を介して、他のノードそれぞれのバスＩＦ部８−ｊおよび多値信号ＩＦ部４８へ伝送する。
【０１１９】
バスＩＦ部８−ｊのＯＥ変換回路６００は、他のノードのバスＩＦ部８−ｊのＥＯ変換回路６５０から光バス２６の光伝送路３０−ｊを介して伝送されてきた２値信号を電流信号Ｉに変換し、受信回路６２に対して出力する。
バスＩＦ部８−ｊの受信回路６２は、ＯＥ変換回路６００から入力された電流信号Ｉを電圧信号Ｖに変換し、図４（Ｃ）〜（Ｆ）に示したシリアル形式の伝送データとしてＳ／Ｐ回路６０４に対して出力する。
バスＩＦ部８−ｊのＳ／Ｐ回路６０４は、フレーム信号ＦＲおよびクロック信号ＣＬＫに同期して動作し、受信回路６２から入力されたシリアル形式の伝送データを８ビットパラレル形式の伝送データ（表４）に変換し、符号除去回路６０６に対して出力する。
【０１２０】
バスＩＦ部８−ｊの符号除去回路６０６は、Ｓ／Ｐ回路６０４から入力された伝送データから符号データを除去し、配分データＤＩＮ’としてデータ組立回路４２に対して出力する。
ノード４６−ｎのデータ組立回路４２は、バスＩＦ部６−１〜６−４から入力された配分データＤＩＮ’を組み立てて、ダミーデータが挿入された状態の本体データＤＯＵＴをデータ処理部４４に対して出力する。
【０１２１】
ノード４６−ｎの多値信号ＩＦ部４８は、光伝送路２８から多値信号を受信し、受信した多値信号から多値データを識別し、データ処理部４４に対して出力する。
データ処理部４４は、データ組立回路４２から入力された本体データＤＯＵＴのダミーデータの部分に、多値信号ＩＦから入力された多値データを挿入し、ノード４６−ｎの多値信号ＩＦ部４８は、光伝送路２８から多値信号を受信し、ダミーデータが挿入されていない状態の本体データＤＯＵＴを復元する。
【０１２２】
【発明の効果】
上述したように、本発明にかかる信号伝送システムおよびその装置によれば、多値信号からクロック信号およびフレーム信号を抽出しなくても、光バスに接続された多くのデバイス（ノード）の間で、高速かつ同期したデータ伝送が可能である。
【図面の簡単な説明】
【図１】本願にかかるデータ処理システムの構成を示す図である。
【図２】図１に示したデータ処理システムにおいて、ノードの数を４（Ｎ＝４）とし、シリアル信号バスの光伝送路の数を４（Ｊ＝４）とした場合の具体例を示す図である。
【図３】図２に示したフレーム信号発生回路の構成を示す図である。
【図４】（Ａ）〜（Ｆ）はそれぞれ、図２に示したフレーム信号発生回路が発生するフレーム信号ＦＲ、クロック信号ＣＬＫおよび光伝送路Ａ〜Ｄ上の伝送信号を示す図である。
【図５】図２に示したノードの構成を示す図である。
【図６】図５に示したクロック再生回路の構成を示す図である。
【図７】図６に示した受信回路の構成を示す図である。
【図８】図５に示したデータ処理部４４が、伝送しようとする本体データＤＯＵＴに含まれる第１のデータおよび第２のデータそれぞれを、バスＩＦ部および光伝送路それぞれに分配する処理を、ＰＡＤの形式で示す処理フロー図である。
【図９】図５に示したバスＩＦ部の構成を示す図である。
【図１０】図２に示した光バスの構成を示す図であって、（Ａ）は光バスの上面図であり、（Ｂ）は光バスの側面図であり、（Ｃ）は、（Ａ），（Ｂ）に示した光伝送路の斜視図である。
【図１１】図１０（Ａ），（Ｂ）に示したフレーム信号線の構成を示す図であって、（Ａ）は、図１０（Ａ）に示したフレーム信号線の斜視図であって、（Ｂ）は、（Ａ）に示したフレーム信号線の側面図である。
【図１２】本発明の第２の実施形態として示すバスＩＦの構成を示す図である。
【図１３】本発明の第３の実施形態として示すバスＩＦの構成を示す図である。
【図１４】本発明の第４の実施形態として示すノードの構成を示す図である。
【図１５】図１４に示した光バスの構成を示す図である。
【図１６】図１４に示した多値信号インターフェース部の構成を示す図である。
【符号の説明】
１・・・データ処理システム
２，２６・・・光バス
２０・・・フレーム信号線
３０４・・・反射面
２２・・・電気回路
２４・・・光配線基板
３・・・シリアル信号バス
３０−１〜３０−Ｊ，２８・・・光伝送路
３００・・・反射面
３０２−１〜３０２−４・・・反射面
４−１〜４−Ｎ・・・ノード
４０・・・インターフェース制御部
４２・・・データ組立回路
４４・・・データ処理部
５・・・クロック再生回路
６００・・・ＯＥ変換回路
６２・・・受信回路
６２０・・・Ｉ−Ｖ変換回路
６２２・・・閾値発生回路
６２４・・・比較回路
６４・・・送信部
６４０・・・ＳＥＬ
６４４・・・符号付加部
６４６・・・Ｐ／Ｓ回路
６４８・・・送信回路
６５０・・・ＥＯ変換回路
５００・・・周波数てい倍回路
６−１〜６−Ｊ，７−１〜７−４，８−１〜８−４・・・バスＩＦ部
６０・・・受信部
６０４・・・Ｓ／Ｐ回路
６０６・・・符号除去回路
７０，７２，７４・・・符号値発生回路
８０・・・合計値検出部
８００・・・Ｉ−Ｖ変換回路
８０２・・・積分回路
８０４・・・Ａ／Ｄ回路
１０・・・フレーム信号発生回路
１００・・・クロック発生回路
１０２・・・分周回路
【図１】
0003968770.tif 000008
【図２】
0003968770.tif 000009
【図３】
0003968770.tif 000010
【図４】
0003968770.tif 000011
【図５】
0003968770.tif 000012
【図６】
0003968770.tif 000013
【図７】
0003968770.tif 000014
【図８】
0003968770.tif 000015
【図９】
0003968770.tif 000016
【図１０】
0003968770.tif 000017
【図１１】
0003968770.tif 000018
【図１２】
0003968770.tif 000019
【図１３】
0003968770.tif 000020
【図１４】
0003968770.tif 000021
【図１５】
0003968770.tif 000022
【図１６】
0003968770.tif 000023